(57)【特許請求の範囲】
【請求項１】
スラリータンクと散布ノズルとを接続する管路に、前記スラリータンク側から順にスラリーポンプ、開閉弁を設けたタンク薬剤散布手段と、
前記スラリーポンプと前記開閉弁との間の前記管路に一端が接続され、他端が洗浄水タンクに接続された洗浄水取出管に、洗浄水ポンプを設けた前記薬剤散布手段を洗浄する洗浄手段と、
この洗浄手段、前記スラリーポンプおよび前記開閉弁を制御して前記管路と前記洗浄水取出管との接続部分より上流側の前記管路と下流側の前記管路とを前記洗浄手段で洗浄する制御手段とを備えていることを特徴とする薬剤散布装置。
【請求項２】
請求項１に記載の薬剤散布装置において、
前記洗浄手段は、前記管路と前記洗浄水取出管との接続部分と前記スラリーポンプとの間の前記管路に設けた三方弁と、この三方弁の残りの口に一端が接続され、前記スラリータンクを洗浄する洗浄ノズルが他端側に接続された洗浄管とを備え、
前記制御手段は前記洗浄手段、前記スラリーポンプおよび前記開閉弁を制御して前記スラリータンクをも前記洗浄手段で洗浄することを特徴とする薬剤散布装置。
【発明の詳細な説明】
【０００１】
【発明の属する技術分野】
この発明は、スラリー状の薬剤を散布する装置、特に配管、タンク内に残溜すると閉塞を起こし易い固化する性質を有する薬剤を散布するのに適した薬剤散布装置に関する。
【０００２】
【従来の技術】
各種のスラリーを散布する種々な構造の散布装置は従来から公知である。
【０００３】
【発明が解決しようとする課題】
スラリーの散布を終わってスラリータンクが空になったら、スラリータンク、スラリータンクから散布ノズルに至るまでの配管、上記配管の途中に設けられたポンプや弁、散布ノズルなどを洗浄水等で洗浄し、残溜するスラリーを除去することが必要であるが、これは人手と時間を要する面倒な作業であった。
【０００４】
【課題を解決するための手段】
本発明の薬剤散布装置は、主に上述した問題点を解消するために開発されたもので、スラリータンクと散布ノズルとを接続する管路に、前記スラリータンク側から順にスラリーポンプ、開閉弁を設けたタンク薬剤散布手段と、前記スラリーポンプと前記開閉弁との間の前記管路に一端が接続され、他端が洗浄水タンクに接続された洗浄水取出管に、洗浄水ポンプを設けた前記薬剤散布手段を洗浄する洗浄手段と、この洗浄手段、前記スラリーポンプおよび前記開閉弁を制御して前記管路と前記洗浄水取出管との接続部分より上流側の前記管路と下流側の前記管路とを前記洗浄手段で洗浄する制御手段とを備えていることを特徴とする。
そして、前記洗浄手段は、前記管路と前記洗浄水取出管との接続部分と前記スラリーポンプとの間の前記管路に設けた三方弁と、この三方弁の残りの口に一端が接続され、洗浄ノズルが他端側に接続された洗浄管とを備え、前記制御手段は前記洗浄手段、前記スラリーポンプおよび前記開閉弁を制御して前記スラリータンクをも前記洗浄手段で洗浄するのが好ましい。
【０００５】
【発明の実施の形態】
１１は、清水、薬品を供給することができるスラリータンクで、その高さの中程にはタンク外のモータ、減速機によって回転駆動される水平軸の回りに軸に対しては直角の放射状で、直角及び／又は一定角度がついた攪拌翼を取付けた攪拌機Ａが設けられている。スラリータンクの底部の横向きの抜出管１２には流路切替え可能な第１三方弁Ｖ−１の一方の横向き口を取付け、該弁の他方の横向き口には排出管１３、下向き口にはスラリー導管１４の一端を接続する。この第１三方弁は、図示の矢印のように流路を切替えて抜出管１２と排出管１３を連通したり、抜出管１２とスラリー導管１４を連通したりすることができ、抜出管１２と排出管１３を連通するとスラリータンク内の液（スラリー）が排出管から外に排出される。
【０００６】
スラリー導管１４の途中には正逆転可能なスラリーポンプＰ１が設けてあり、該管１４の他端は流路切替え可能な第２三方弁Ｖ−２の一方の横向き口に接続する。上記スラリーポンプＰ１には開閉弁Ｖ−５を有する排水管が接続している。
【０００７】
２１は清水が供給される洗浄水タンクで、その底部に一端を連結した洗浄水取出管２２の途中には洗浄水ポンプＰ２、その下流に逆止弁Ｖ−６が設けてある。この洗浄水取出管２２の他端には前記第２三方弁の下向き口に上端が接続した連絡管２３の下端と、該取出管２２から延長状に延びるスラリー供給管１５の一端とが連結してある。つまり、洗浄水取出管２２とスラリー供給管１５と連絡管２３とは逆Ｔ字形に接続されている。スラリー供給管１５の一端部近くには開閉弁Ｖ−４が設けてある。
【０００８】
前記第２三方弁Ｖ−２の他方の横向き口には洗浄管２４の一端が接続する。この第２三方弁Ｖ−２は、図示の矢印のように流路を切替えて連絡管２３とスラリー導管１４とを連通したり、連絡管２３と洗浄管２４とを連通したりすることができる。
【０００９】
上記洗浄管２４の下流はスラリータンク１１の上方に導かれ、その他端部にはスラリータンクの内部で上下動したり、回転して噴出する方向を変化したりする洗浄ノズル２６を下端に取付けた下向きの複数の枝管２５が設けてある。又、必要に応じてスラリータンクの上壁にある投入口の周辺や、投入口の蓋１１′に洗浄ノズルを設けても構わない。
【００１０】
前記スラリー供給管１５の他端は流路切替え可能な第３三方弁Ｖ−３の下向き口に接続する。この第３三方弁の二つの横向き口の一方には散布ノズル１７を先端に取付けた取付管１６が接続し、他方の横向き口にはスラリータンクの内部上方に連通した循環管１８が接続する。この第３三方弁Ｖ−３は、図示の矢印のように流路を切替えてスラリー供給管１５と取付管１６とを連通したり、スラリー供給管１５と循環管１８とを連通したりすることができる。
【００１１】
上記各弁Ｖ−１、Ｖ−２、Ｖ−３、Ｖ−４、Ｖ−５、ポンプＰ１、Ｐ２、攪拌機Ａはいずれも油圧で操作される。そして、三方弁Ｖ−１、Ｖ−２、Ｖ−３は三方向のうち、二方向を連通状態にするために流路を切替える弁である。
【００１２】
本発明の薬剤散布手段１０は、散布すべき薬剤スラリーを入れたスラリータンク１１、抜出管１２、第１三方弁Ｖ−１、途中にスラリーポンプＰ１が設けられたスラリー導管１４、第２三方弁Ｖ−２、連絡管２３、スラリー供給管１５、第３三方弁Ｖ−３、取付管１６、散布ノズル１７とからなり、第１三方弁により抜出管１２とスラリー導管１４とを連通状態、第２三方弁によりスラリー導管１４と連絡管２３を連通状態にし、スラリー供給管１５の途中の開閉弁Ｖ−４を開にし、第３三方弁によりスラリー供給管１５と取付管１６を連通状態にし、スラリーポンプＰ１を正転することによりスラリータンク内の薬剤スラリーを散布ノズル１７から散布できる。尚、スラリー導管１４、連絡管２３を流れたスラリーは逆止弁Ｖ−６で阻止されて洗浄水取出管２２には流入できず、スラリー供給管１５に流入する（スラリー散布工程）。
【００１３】
又、洗浄手段２０は、洗浄水タンク２１、洗浄水取出管２２、連絡管２３、第２三方弁Ｖ−２までが共通で、その後、洗浄管２４、枝管２５、洗浄ノズル２６からなるスラリータンク洗浄用と、上記第２三方弁Ｖ−２の後、スラリー導管１４、第１三方弁Ｖ−１、抜出管１２からなるスラリーポンプ吸込側洗浄用の二手と、洗浄水タンク２１、洗浄水取出管２２、スラリー供給管１５、第３三方弁Ｖ−３までが共通で、その後、取付管１６からなるスラリーポンプ吐出側、散布ノズル洗浄用と、上記三方弁Ｖ−３の後、循環管１８からなるスラリーポンプ吐出側、循環洗浄用の二手とからなる。
【００１４】
前記スラリータンク洗浄用の洗浄手段でスラリータンクを洗浄するには、第２三方弁Ｖ−２を切替えて連絡管２３と洗浄管２４とを連通状態にし、スラリー供給管１５の開閉弁Ｖ−４を閉にして洗浄水が開閉弁Ｖ−４から先にスラリー供給管に浸入するのを停め、洗浄水ポンプＰ２をＯＮにして行う。これにより洗浄水タンク内の洗浄水（清水）は洗浄水取出管２２、逆止弁Ｖ−６、連絡管２３、洗浄管２４、枝管２５を経てスラリータンク内の洗浄ノズル２６からタンク内に噴出し、スラリータンクの内部を洗浄する。このときスラリータンクの抜出管１２に取付けた第１三方弁Ｖ−１はそのまゝなので抜出管１２とスラリー導管１４が連通状態になっている。従って、スラリータンク内の液は抜出管１２からスラリー導管１４を通ってスラリーポンプＰ１に流れて行き、スラリーポンプＰ１が逆流を防ぐ構造であればスラリーポンプＰ１で、又、スラリーポンプがそのような構造でなくても連絡管２３と洗浄管２４とを連通状態にした第２三方弁Ｖ−２で行き止まる（スラリータンク洗浄工程）。尚、第３三方弁はこの工程に関係ないので流路切替えはどちらでもよい。又、この工程中、洗浄ノズル２６はタンク１１内で上下動や、回転することにより、スラリータンク内が清浄にされる。
【００１５】
前記スラリーポンプ吸込側洗浄用の洗浄手段で洗浄を行うには、前記開閉弁Ｖ−４を閉にし、第２三方弁Ｖ−２を切替えて連絡管２３とスラリー導管１４とを連通状態にし、第１三方弁Ｖ−１によりスラリー導管１４と抜出管１２とを連通状態にし、洗浄水ポンプＰ２をＯＮ、スラリーポンプＰ１を逆転ＯＮにする。これにより洗浄水タンク内の洗浄水は洗浄水ポンプで洗浄水取出管２２から開閉弁Ｖ−４の閉でスラリー供給管１５には流入せず、連絡管２３からスラリー導管１４に流入し、逆転するスラリーポンプＰ１により第１三方弁Ｖ−１から抜出管１２を通ってスラリータンク１１に流入する（スラリーポンプ吸込側洗浄工程）。尚、第３三方弁はこの工程に関係ないので流路切替えはどちらでもよい。
【００１６】
前記スラリーポンプ吐出側、散布ノズル洗浄用の洗浄手段で洗浄を行うには、スラリーポンプＰ１はＯＦＦ、第１三方弁Ｖ−１は切替えて抜出管１２と排出管１３とを連通状態にし、第２三方弁Ｖ−２により連絡管２３とスラリー導管１４とを連通状態にし、開閉弁Ｖ−４は開、第３三方弁Ｖ−３によりスラリー供給管１５と取付管１６とを連通状態にし、洗浄水ポンプＰ２をＯＮにする。これにより洗浄水タンク内の洗浄水は洗浄水ポンプＰ２の運転で洗浄水取出管２２の逆止弁Ｖ−６を通ってスラリー供給管１５に流入し、第３三方弁Ｖ−３によって取付管１６に流入し、散布ノズル１７から噴出する。従って、スラリー供給管１５、取付管１６、散布ノズル１７を洗浄水で洗浄できる（スラリーポンプ吐出側、散布ノズル洗浄工程）。このとき、逆止弁Ｖ−６を通過した一部の洗浄水は連絡管２３から第２三方弁Ｖ−２を通りスラリー導管１４、スラリーポンプＰ１に逆流するが、この洗浄水はスラリーポンプＰ１が逆流を防ぐ構造であればスラリーポンプＰ１で、スラリーポンプがそのような構造でなくても抜出管１２と排出管１３を連通状態にした第１三方弁Ｖ−１で行き止まる。
【００１７】
又、前記スラリーポンプ吐出側、循環管洗浄用の洗浄手段で洗浄を行うには、スラリーポンプＰ１をＯＦＦ、第１三方弁Ｖ−１は抜出管１２とスラリー導管１４とを連通状態、第２三方弁Ｖ−２もスラリー導管１４と連絡管２３とを連通状態、第３三方弁Ｖ−３はスラリー供給管１５と循環管１８とを連通状態、開閉弁Ｖ−４は開にし、洗浄水ポンプＰ２をＯＮにする。これにより洗浄水タンクの洗浄水は洗浄水取出管２２、スラリー供給管１５、循環管１８を流れてスラリータンク１１に流入し、スラリー供給管１５、循環管１８を洗浄することができる（スラリーポンプ吐出側、循環管洗浄工程）。このとき、第１三方弁Ｖ−１により抜出管１２とスラリー導管１４とは連通状態にあるので、スラリータンク内のスラリーは抜出管１２からスラリー導管１４に流入してスラリーポンプに向かって流れ、同時に第２三方弁Ｖ−２により連絡管２３とスラリー導管１４は連通状態にあるので、洗浄水取出管２２の逆止弁Ｖ−６を通過した洗浄水の一部は連絡管２３からスラリー導管１４に流入するが、これらの抜出管１２からスラリー導管１４に流入したスラリーや、連絡管２３からスラリー導管１４に流入した洗浄水は配管を満たす状態になる。
【００１８】
上記したように洗浄水ポンプのＯＮ、スラリーポンプの逆転ＯＮ、第１、第２、第３各三方弁の流路の切替え、開閉弁Ｖ−４の開閉を制御し、洗浄手段によって薬剤散布手段を洗浄水で洗浄し、薬剤散布手段に残溜するスラリーを除去してスラリーの固化による閉塞を防止できる。
【００１９】
図示の装置による薬剤散布までの工程と、散布後の工程を概略説明する。尚、攪拌機は第１工程の水張り、最終工程の洗浄終了を除き、常時、回転させておく。又、スラリーポンプＰ１の排水管の開閉弁Ｖ−５はスラリータンクブロー工程のときのみ開で、他の工程では閉である。
【００２０】
第１工程（スラリータンク水張り）
スラリータンク１１内に清水を所定のレベルまで導入する。このときスラリーポンプＰ１、洗浄水ポンプＰ２はともにＯＦＦ、第１三方弁Ｖ−１は抜出管１２とスラリー導入管１４とを連通し、開閉弁Ｖ−４は閉であり、第２三方弁Ｖ−２、第３三方弁Ｖ−３はこの工程に関係ないので流路切替えはどちらでもよい。
【００２１】
第２工程（薬品投入）
スラリータンクの上壁にある投入口の蓋１１′を開き、タンクの内部に薬品を、内部の水量に応じて所定量投入する。このときスラリーポンプＰ１はＯＮ、洗浄水ポンプＰ２はＯＦＦ、第１三方弁は抜出管１２とスラリー導管１４とを連通し、第２三方弁はスラリー導管１４と連絡管２３とを連通し、第３三方弁はスラリー供給管１５と循環管１８とを連通し、開閉弁Ｖ−４は開にする。
【００２２】
第３工程（高速攪拌、循環）
上記第２工程をそのまゝ例えば５分間続ける。これによりスラリータンク内の水と薬品は攪拌機で混合され、抜出管１２、スラリー導管１４、連絡管２３、スラリー供給管１５、循環管１８を流れてスラリータンクに戻り、循環することによりスラリー固化（固着）防止を図っている。
【００２３】
第４工程
段落００１７で述べたスラリーポンプ吐出側、循環管洗浄工程の第１回目を行う。このとき、スラリータンクには洗浄廃水が入り、タンク内のスラリーと混合するが、時間、水量が少なく、スラリー濃度にほとんど影響を与えないため、そのまゝ混合され、散布される。
【００２４】
第５工程
段落００１２で述べたスラリー散布工程を行う。
【００２５】
第６工程（スラリータンク内の残スラリーブロー）
第１三方弁Ｖ−１は抜出管１２と排出管１３を連通状態にしてスラリータンク内の残スラリーを排出管１３から外に排出する。このときスラリーポンプＰ１の排水管の開閉弁Ｖ−５を開にする。その理由はスラリーポンプ内に薬液が溜まり、固化（固着）することを防ぐためである。尚、このとき第２三方弁、第３三方弁、開閉弁Ｖ−４はこの工程に関係ないので流路切替えや、開閉はどちらでもよい。又、スラリーポンプＰ１、洗浄水ポンプＰ２はともにＯＦＦにしておく。
【００２６】
第７工程
段落００１４で述べたスラリータンク洗浄工程の第１回目を行う。
【００２７】
第８工程
段落００１５で述べたスラリーポンプ吸込側洗浄工程の第１回目を行う。
【００２８】
第９工程
段落００２５で述べたのと同じスラリータンクブロー工程の第１回目を行う。
【００２９】
第１０工程
段落００１６で述べたスラリーポンプ吐出側、散布ノズル洗浄工程を行う。
【００３０】
第１１工程
段落００１４で述べたスラリータンク洗浄工程の第２回目を行う。
【００３１】
第１２工程
段落００２５で述べたスラリータンクブロー工程の第２回目を行う。
【００３２】
第１３工程
段落００１４で述べたスラリータンク洗浄工程の第３回目を行う。
【００３３】
第１４工程
段落００１７で述べたスラリーポンプ吐出側、循環管洗浄工程の第２回目を行う。段落００１７では、第３三方弁Ｖ−３はスラリー供給管１５と循環管１８とを連通状態にするとしたが、この第１４工程では第３三方弁Ｖ−３はスラリー供給管１５と取付管１６とを連通状態にして、散布ノズル１７から噴出させるようにして使用しても構わない。
【００３４】
第１５工程
段落００１５で述べたスラリーポンプ吸込側洗浄工程の第２回目を行う。
【００３５】
第１６工程
段落００２５で述べたのと同じスラリータンクブロー工程の第３回目を行う。
【００３６】
第１７工程（洗浄終了）
攪拌機を停め、スラリーポンプ、洗浄水ポンプＰ１，Ｐ２はともにＯＦＦ、第１三方弁Ｖ−１は抜出管１２と排出管１３とを連通状態、第２三方弁Ｖ−２は連絡管２３と洗浄管２４とを連通状態、開閉弁Ｖ−４を開、スラリーポンプの排水管の開閉弁Ｖ−５を開にする。尚、第３三方弁はこの工程に関係ないので流路切替えはどちらでもよい。これにより次回作業準備前迄は、系内水抜き状態として凍結防止を図り、洗浄が終了する。
【００３７】
第６工程から第１６工程まではシーケンサー等を利用することにより自動で行うことができる。更に、一連の工程には直接関係ないものゝ、図示のように、スラリー供給管１５の開閉弁Ｖ−４の手前の位置に圧力指示警報計ＰＩＡを設けて配管閉塞トラブルに対応したり、洗浄水タンク２１に水位計を設けて洗浄水ポンプＰ２の空転トラブルに対応したりする安全対策を付加することが好ましい。
【００３８】
【発明の効果】
以上で明らかのように、本発明によれば、スラリータンクと散布ノズルとを接続する管路に、前記スラリータンク側から順にスラリーポンプ、開閉弁を設けた薬剤散布手段と、前記スラリーポンプと前記開閉弁との間の前記管路に一端が接続され、他端が洗浄水タンクに接続された洗浄水取出管に、洗浄水ポンプを設けた前記薬剤散布手段を洗浄する洗浄手段と、この洗浄手段、前記洗浄手段、前記スラリーポンプおよび前記開閉弁を制御して前記管路と前記洗浄水取出管との接続部分より上流側の前記管路と下流側の前記管路とを前記洗浄手段で洗浄する制御手段を設けたので、薬剤散布手段を容易に洗浄し、薬剤散布手段に残溜すると固化するスラリーなどを確実に除去することができる。
さらに、前記洗浄手段は、前記管路と前記洗浄水取出管との接続部分と前記スラリーポンプとの間の前記管路に設けた三方弁と、この三方弁の残りの口に一端が接続され、洗浄ノズルが他端側に接続された洗浄管とを備え、前記制御手段は前記洗浄手段、前記スラリーポンプおよび前記開閉弁を制御して前記スラリータンクをも前記洗浄手段で洗浄するので、スラリータンク内に薬剤が溜まり、固化（固着）するのを防ぐことができる。
【図面の簡単な説明】
【図１】図は本発明による薬剤散布装置の一実施形態のフローシートである。
【符号の説明】
１０    薬剤散布手段
２０    洗浄手段
【図１】
0003595241.tif 000002